(57)【要約】【課題】  端末装置にストリーム配信された複数の異なる視点で撮影した動画像の視点切換えを、連続性を保証した上で簡単に行う。【解決手段】  端末装置１０は、コンピュータプログラムにより機能する。再生／停止スイッチＢＬ１による指示により、データ入力部ＢＬ２は、複数の異なる視点から撮影した複数種類の動画像をそれぞれ表す複数種類の動画像データが１つに結合されていてストリーム配信される動画像データを入力して、再生バッファＢＬ３に順次書き込む。描画処理部ＢＬ４は、再生バッファＢＬ３内の動画像データを表示器１８に描画させるための描画データに順次変換して描画バッファＢＬ５に順次書き込む。表示制御部ＢＬ７は、視点スイッチＢＬ６にて選択されている視点に対応した描画データのみを描画バッファＢＬ５から順次取出して、表示器１８の表示を制御する表示バッファＢＬ８に書き込む。【選択図】  図５
2007028242.tif 000002
【特許請求の範囲】
【請求項１】
外部から配信される画像データを受信して、同受信した画像データにより表された画像を表示器にて表示する端末装置において、
複数の異なる視点から撮影した複数種類の動画像をそれぞれ表す複数種類の動画像データが１つに結合されていてストリーム配信される動画像データを入力する入力手段と、
前記入力された動画像データを前記表示器に描画させるための描画データに順次変換して一時的に記憶しておくデータ変換手段と、
前記複数の異なる視点のうちの少なくともいずれか一つの視点を選択する視点選択手段と、
前記一時的に記憶されている描画データの中から前記視点選択手段によって選択された視点に対応した描画データを取り出して前記表示器における表示用に一時的に記憶し、前記選択された視点に関する描画データに対応した画像を前記表示器にて表示させる表示制御手段とを設けたことを特徴とする端末装置。
【請求項２】
外部から配信される画像データを受信する受信部と、前記画像データによって表された画像を表示する表示部と、ユーザの指示を入力するための指示入力部と、メモリ装置とを備えるとともに、コンピュータプログラムを実行するコンピュータ部とを備えた端末装置に適用され、前記コンピュータ部に、
複数の異なる視点から撮影した複数種類の画像をそれぞれ表す複数種類の動画像データが１つに結合されていてストリーム配信される動画像データを前記受信部にて入力させ、
前記入力させた動画像データを前記表示器に描画させるための描画データに順次変換させて前記メモリ装置に設けられた描画データ記憶バッファに書き込ませ、
前記複数の異なる視点のうちの少なくともいずれか一つの視点を選択するための指示を前記指示入力部から入力させ、
前記描画データ記憶バッファに書き込まれている描画データの中から前記入力させた指示による選択視点に関する描画データを取り出させて、前記メモリ装置に設けられて前記表示部にて表示される画像を表す表示データを記憶するための表示データ記憶バッファに書き込ませるようにしたコンピュータプログラム。
【発明の詳細な説明】
【技術分野】
【０００１】
本発明は、外部から配信される画像データを受信して、同受信した画像データにより表された画像を表示器にて表示する端末装置、および同端末装置に適用されるコンピュータプログラムに関する。
【背景技術】
【０００２】
近年、ストリーム配信された動画像データを受信して、同受信した動画像データによって表された動画像を表示器に表示する端末装置が出現してきている。また、例えば下記特許文献１に示されているように、複数の異なる視点から撮影した複数種類の動画像をそれぞれ表す複数種類の動画像データをＤＶＤに記録しておき、外部からの視点切換えの指示に応答して、表示器にて表示される動画の視点を切換えることも知られている。
【特許文献１】特開２００２−１５２６８４号公報
【０００３】
複数の異なる視点から撮影した複数種類の動画像を視点ごとに選択的に表示する場合、一般的には、複数種類の動画像をそれぞれ表す複数種類の動画像データを各視点ごとに異なるトラックに記録しておき、視点の切換え指示に応じて表示器にて表示する視点の動画像を切換えるために、動画像データを再生するトラックを切換えるようにしている。しかし、この方法をストリーム配信に応用する場合、各視点に対応する複数の動画像データが個別の複数のデータストリームとしてそれぞれ配信されることになる。そして、視点切換えに応じて、サーバ側で配信する動画像データを切換えた場合、視点切換え動作の即時性が損なわれるばかりか、視点切換えの前後で動画像の再生が途切れたり、同期が失われたりする。すなわち、視点切換えの前後で再生される動画像の連続性が失われる。また、複数の動画像データが個別のデータストリームとして再生側の端末装置側に同時に配信される場合であっても、端末装置内のバッファの問題や伝送路の帯域の問題もあり、視点切換えの前後で再生される動画像の連続性は保証されない。
【発明の開示】
【０００４】
本発明は、上記問題に対処するためになされたもので、その目的は、動画像データを端末装置にストリーム配信する場合でも、端末装置にて、複数の異なる視点で撮影した動画像の視点切換えを、連続性を保証した上で簡単に行えるようにすることにある。
【０００５】
上記目的を達成するために、本発明の特徴は、外部から配信される画像データを受信して、同受信した画像データにより表された画像を表示器にて表示する端末装置において、複数の異なる視点から撮影した複数種類の動画像をそれぞれ表す複数種類の動画像データが１つに結合されていてストリーム配信される動画像データを入力する入力手段と、入力された動画像データを表示器に描画させるための描画データに順次変換して一時的に記憶しておくデータ変換手段と、複数の異なる視点のうちの少なくともいずれか一つの視点を選択する視点選択手段と、前記一時的に記憶されている描画データの中から視点選択手段によって選択された視点に対応した描画データを取り出して表示器における表示用に一時的に記憶し、前記選択された視点に関する描画データに対応した画像を表示器にて表示させる表示制御手段とを設けたことにある。
【０００６】
また、本発明を他の観点から見れば、本発明の特徴は、外部から配信される画像データを受信する受信部と、画像データによって表された画像を表示する表示部と、ユーザの指示を入力するための指示入力部と、メモリ装置とを備えるとともに、コンピュータプログラムを実行するコンピュータ部とを備えた端末装置に適用され、コンピュータ部に、複数の異なる視点から撮影した複数種類の画像をそれぞれ表す複数種類の動画像データが１つに結合されていてストリーム配信される動画像データを受信部にて入力させ、前記入力させた動画像データを表示器に描画させるための描画データに順次変換させてメモリ装置に設けられた描画データ記憶バッファに書き込ませ、複数の異なる視点のうちの少なくともいずれか一つの視点を選択するための指示を指示入力部から入力させ、描画データ記憶バッファに書き込まれている描画データの中から前記入力させた指示による選択視点に関する描画データを取り出させて、メモリ装置に設けられて表示部にて表示される画像を表す表示データを記憶するための表示データ記憶バッファに書き込ませるようにしたコンピュータプログラムにある。
【０００７】
上記のように構成した本発明の特徴においては、複数の異なる視点から撮影した複数種類の画像をそれぞれ表す複数種類の動画像データを１つに結合した動画像データが端末装置にストリーム配信されると、この配信された動画像データは表示器に描画させるための描画データに順次変換されて、一時的に記憶される（すなわち、描画データ記憶バッファに書き込まれる）。そして、この一時的に記憶された描画データのうちで、入力指示された選択視点に関する描画データが取り出されて表示器における表示用に一時的に記憶される（すなわち、表示データ記憶バッファに書き込まれる）。表示器には、この表示用に一時的に記憶された描画データが表示器に即座に表示される。したがって、ユーザが端末装置側で表示器に表示される動画像の視点切り換えを指示すれば、表示器に表示される動画像が切換え前の動画像と同期して切換えられ、表示器にて表示される動画像の視点切換えが連続性を保ったまま簡単に切換えられる。
【発明を実施するための最良の形態】
【０００８】
以下、本発明の一実施形態について図面を用いて説明すると、図１は本発明に係る複数の端末装置１０を含むコンテンツ配信システムを概略的に示している。端末装置１０は、パーソナルコンピュータ、電子楽器を含む各種電子音楽装置、携帯電話、ＰＤＡ（携帯情報端末装置）などの総称であり、これらの端末装置１０は、インターネット、公衆電話回線、専用回線、ＬＡＮなどのネットワーク２０に接続されている。このネットワーク２０には、データベース３１を有する配信サーバ３０が接続されている。データベース３１には、後述する動画像データをそれぞれ含む複数種類の配信コンテンツが記憶されている。例えば、配信コンテンツには、楽曲を自動演奏させるための音楽データ（すなわち、自動演奏データ）が含まれていてもよい。配信サーバ３０は、端末装置１０からの配信要求に応答して、要求された配信コンテンツを端末装置１０に配信する。
【０００９】
データベース３１に記憶されている各動画像データは、それぞれ複数の異なる視点（アングル）から撮影した動画像を表す複数種類の動画像データを結合した１つの動画像データからなる。具体的には、データベース３１に記憶されている１つの動画像データは、管楽器、ピアノなどの１つの楽器の模範演奏を異なる視点（アングル）から同時に撮影した複数種類の動画像（例えば、演奏者全体を正面側、側方側などから撮影した動画像、演奏者の手、足などの演奏局部を撮影した動画像）をそれぞれ表す複数種類の動画像データを、１種類の動画像を表す動画像データとして並列的に結合したものである。このことは、複数種類の各一連の動画像データのうちの各瞬時の複数種類の画像データ（複数ペーン分の画像データ）が、それぞれ並列的に結合されて各瞬時の１種類の画像データ（１ペーン分の画像データ）となって記憶されていることを意味する。なお、本実施形態では、複数種類の動画像データは２種類の動画像データ（視点Ａ，Ｂから見た動画像をそれぞれ表す動画像データ）であり、以降、２種類の各一連の動画像データが１種類の一連の動画像データに結合されてデータベース３１に記憶されているものとして説明する。
【００１０】
端末装置１０は、その一つを代表して図１に示すように、コンピュータ部を構成するＣＰＵ１１、ＲＯＭ１２、ＲＡＭ１３および外部記憶装置１４などを備えている。これらのＣＰＵ１１、ＲＯＭ１２、ＲＡＭ１３および外部記憶装置１４は、バス１５に接続されている。ＣＰＵ１１は、各種プログラム（本実施形態においては、特に、後述する図３の再生プログラム）を実行して端末装置１０の作動を制御する。ＲＯＭ１２は、ファームウェアを記憶するものである。なお、ＲＯＭ１２をフラッシュメモリで構成するようにしてもよい。ＲＡＭ１３は、各種プログラムおよび各種データを端末装置１０の作動制御のために一時的に記憶する。本実施形態においては、特に、このＲＡＭ１３には、再生バッファエリア、描画バッファエリアおよび表示バッファエリアが設けられている。再生バッファエリアは、端末装置１０にて受信したコンテンツ（動画像データ）を順次一時的に記憶する記憶エリアである。描画バッファエリアは、図２に示すように、２種類の各一連の動画像データのうちの各瞬時の２種類の画像データ（２ペーン分の画像データすなわち２画面分の画像データ）を一時的に記憶する記憶エリアである。表示バッファエリアは、後述する表示器１８にて表示される１ペーン分の画像データ（１画面分の画像データ）を順次一時的に記憶する記憶エリアである。なお、１ペーン分の画像データはｍ×ｎ個の描画データ（画素データ）で構成され、描画バッファエリアは２×ｍ×ｎ個の描画データを記憶し、表示バッファエリアはｍ×ｎ個の描画データを記憶する。
【００１１】
外部記憶装置１４は、端末装置１０に予め組み込まれているハードディスクＨＤ、同端末装置１０に装着可能なコンパクトディスクＣＤ、フレキシブルディスクＦＤなどの種々の記録媒体と、同各記録媒体に対するドライブユニットを含むものであり、大量のデータ及びプログラムを記憶及び読み出し可能にしている。これらのデータおよびプログラムは、予めハードディスクＨＤに記憶されていたり、コンパクトディスクＣＤ、フレキシブルディスクＦＤなどからハードディスクＨＤに供給されたり、後述する通信インターフェース回路１６を介してネットワーク２０を介して外部からハードディスクＨＤに供給されるものである。本実施形態においては、特に、図３の再生プログラムがハードディスクＨＤに記憶されている。なお、ＲＯＭ１２を前述したようにフラッシュメモリを利用する場合には、この再生プログラムを含む各種プログラムをＲＯＭ１２に記憶させておくようにしてもよい。
【００１２】
バス１５には、通信インターフェース回路１６、音源回路１７、表示器１８および入力装置１９が接続されている。通信インターフェース回路１６は、ネットワーク２０に接続されており、ネットワーク２０を介して配信サーバ３０と各種データおよび各種プログラムの送受信を可能とする。また、端末装置１０として携帯電話、ＰＤＡなどを利用する場合には、この通信インターフェース回路１６内に無線通信器を組み込み、無線通信器を介して図示しない中継局を経由してネットワーク２０に接続されるようにする。
【００１３】
音源回路１７は、ＣＰＵ１１の制御のもとに供給される演奏データに基づいて楽音信号を形成するとともに、同形成された楽音信号に効果を付与してサウンドシステム１７ａに出力する。サウンドシステム１７ａは、スピーカ、アンプなどを含んでいて、音源回路１７からの楽音信号に対応した楽音を発音する。表示器１８は、液晶ディスプレイ、ＣＲＴなどからなるとともに、表示画面の表示態様を制御する表示制御回路を内蔵している。表示制御回路は、図４に示すように表示画面の表示態様を制御し、動画表示領域１８ａには前記ＲＡＭ１３内の表示バッファエリアに記憶されたｍ×ｎ個の描画データに従って動画像が表示される。図４の表示画面中のＡボタン１８ｂおよびＢボタン１８ｃは、視点Ａ，Ｂから見た動画像をそれぞれ選択するための表示ボタンである。プレイ・ストップマーク１８ｄは、動画像データの再生開始および再生停止を指示するための表示ボタンである。入力装置１９は、スイッチ操作子、ボリューム操作子、カーソル移動操作子（例えば、マウス）などからなり、外部からの指示を入力するものである。特に、図４の表示画面中のＡボタン１８ｂ、Ｂボタン１８ｃおよびプレイ・ストップマーク１８ｄは、カーソル移動操作子の操作によりクリックされる。
【００１４】
次に、上記のように構成した実施形態の動作について説明する。ユーザは、図示しないプログラムの実行により、入力装置１９を操作して配信サーバ３０に通信インターフェース回路１６およびネットワーク２０を介してアクセスする。このアクセス後、ユーザは、表示器１８にて表示されるメニュー画面を見ながら入力装置１９を操作して、配信サーバ３０からの配信を希望する所望の動画像データ（コンテンツ）を選択する。この選択後、ＣＰＵ１１は表示器１８を制御して、表示画面上にＡボタン１８ｂ、Ｂボタン１８ｃおよびプレイ・ストップマーク１８ｄを表示するとともに、動画表示領域１８ａを確保する。その後、ユーザが入力装置１９を操作して、プレイ・ストップマーク１８ｄをクリックすると、ＣＰＵ１１は、配信サーバ３０に前記選択した動画像データの配信開始を要求する。また、この配信開始の要求とともに、ＣＰＵ１１はＲＡＭ１３内に再生バッファエリアを用意する。配信サーバ３０は、この要求に応答して、ネットワーク２０を介して端末装置１０の通信インターフェース回路１６に動画像データをストリーム配信する。ＣＰＵ１１は、通信インターフェース回路１６を介して入力される動画像データをＲＡＭ１３内に設けた再生バッファエリアに順次書き込む。
【００１５】
前記配信サーバ３０に対する動画像データの配信開始の要求と同時に、ＣＰＵ１１は、図３の再生プログラムの実行をステップＳ１０にて開始する。この再生プログラムの実行開始後、ＣＰＵ１１は，ステップＳ１１にて、ＲＡＭ１３内の描画バッファエリアおよび表示バッファエリアを初期化、すなわちＲＡＭ１３内に描画バッファエリア（２×ｍ×ｎ）および表示バッファエリア（ｍ×ｎ）を用意して両エリア内のデータをクリアする。次に、ＣＰＵ１１は、ステップＳ１２にて、表示器１８に表示するための動画を指定するための視点変数Ｘを、描画バッファエリアのＡ領域（視点Ａに対応した描画データを記憶する領域）を指定するための値Ａに初期設定し、ステップＳ１３〜Ｓ１９からなる循環処理を繰り返し実行し始める。
【００１６】
この循環処理においては、ＣＰＵ１１は、ステップＳ１３にて、まずＲＡＭ１４内の再生バッファエリアに書き込まれている動画像データのうちで最初のタイミングに対応した動画像データを描画データに変換してＲＡＭ１３内の描画バッファエリアに書き込む。この場合、受信した動画像データである視点ＡおよびＢに関する２ペーン分の動画像を並列的に配置した２×ｍ×ｎの描画データが描画バッファエリアに書き込まれる（図２(Ａ)参照）。次に、ステップＳ１４〜Ｓ１７の処理により、ユーザによる入力装置１９の操作に応じた視点変数Ｘの変更を許容する。表示器１８の表示画面上のＡボタン１８ｂおよびＢボタン１８ｃのいずれもクリックされなければ、ステップＳ１４にて「Ｎｏ」と判定して、視点変数Ｘを以前の値に保ったままプログラムをステップＳ１８に進める。表示画面上のＡボタン１８ｂがクリックされると、ステップＳ１４にて「Ｙｅｓ」と判定し、ステップＳ１５にて「Ｙｅｓ」と判定して、ステップＳ１６にて視点変数Ｘを値Ａに設定して、プログラムをステップＳ１８に進める。表示画面上のＢボタン１８ｃがクリックされると、ステップＳ１４にて「Ｙｅｓ」と判定し、ステップＳ１５にて「Ｎｏ」と判定して、ステップＳ１７にて視点変数Ｘを値Ｂに設定して、プログラムをステップＳ１８に進める。これにより、視点Ａ，Ｂに対応した動画像の表示の切り換えが指示される。
【００１７】
ステップＳ１８においては、ＣＰＵ１１は、ＲＡＭ１３内の描画バッファエリアに記憶されている描画データのうちで、視点変数Ｘによって指定されるＡ領域（視点Ａに対応した描画データを記憶する領域）またはＢ領域（視点Ｂに対応した描画データを記憶する領域）の描画データを読み出して、ＲＡＭ１３の表示バッファエリアに書き込む。この場合、視点ＡおよびＢに関する２ペーン分の描画データのうちの１ペーン分の描画データが表示バッファエリアに書き込まれる（図２(Ｂ)参照）。表示器１８は、表示バッファエリアに書き込まれている描画データを用いて表示画面上の動画表示領域１８ａに描画データに対応した画像を表示する。そして、入力装置１９の操作による表示画面上のプレイ・ストップマーク１８ｄのクリック操作がない限り、ステップＳ１９にて「Ｎｏ」と判定し続けて、前記ステップＳ１３〜Ｓ１９からなる循環処理を繰り返し実行し続ける。
【００１８】
そして、ステップＳ１３の処理により、再生バッファエリアに書き込まれている動画像データのうちで順次次のタイミングに対応した動画像データが描画データに変換されてＲＡＭ１３内の描画バッファエリアに書き込まれる。そして、ステップＳ１８の処理により、描画バッファエリアに記憶されている描画データのうちで、視点変数Ｘによって指定されるＡ領域またはＢ領域の描画データが、表示バッファエリアに順次書き込まれる。この表示バッファエリアに書き込まれた描画データに従って、動画表示領域１８ａに画像が順次表示されるので、動画表示領域１８ａには配信サーバ３０から配信された動画像データであって指定される視点Ａまたは視点Ｂに対応した動画像が時間経過に従って表示されることになる。
【００１９】
この動画像の表示状態において、Ａボタン１８ｂまたはＢボタン１８ｃのクリック操作に従ってステップＳ１４〜Ｓ１６の処理により視点変数Ｘが変更されると、表示バッファエリアに書き込まれる描画データがＡ領域の描画データとＢ領域の描画データとの間で切換えられるので、動画表示領域１８ａに表示される動画像が切換えられる。
【００２０】
そして、前記ステップＳ１３〜Ｓ１９からなる循環処理の実行中、ユーザが入力装置１９の操作によりプレイ・ストップマーク１８ｄをクリックすると、ＣＰＵ１１は、ステップＳ１９にて「Ｙｅｓ」と判定してステップＳ２０にてこの再生プログラムの実行を終了する。この再生プログラムの実行終了時には、ＣＰＵ１１は、配信サーバ３０に対して動画像データの配信の停止を指示する。配信サーバ３０は、この停止指示により、動画像データの端末装置１０への配信を停止する。また、ＣＰＵ１１は、前記停止指示とともに、ＲＡＭ１３内に設けた再生バッファエリア、描画バッファエリアおよび表示バッファエリア内の動画像データをクリアしておく。
【００２１】
次に、上記のように構成されるとともに動作する端末装置１０を、図５の機能ブロック図を用いて説明しておく。再生／停止スイッチＢＬ１が配信サーバ３０に動画像データの配信を要求すると（プレイ・ストップマーク１８ｄのクリックに相当）、配信サーバ３０は端末装置１０に動画像データを配信する。データ入力部ＢＬ２（通信インターフェース回路１６に相当）は、前記配信された動画像データを入力して再生バッファＢＬ３（ＲＡＭ１３内の再生バッファエリアに相当）に順次書き込む。描画処理部ＢＬ４は、再生バッファＢＬ３内の動画像データを順次取り出して、２ペーン分の描画データを含む動画像データを描画バッファＢＬ５（ＲＡＭ１３内の描画バッファエリアに相当）に書き込む。
【００２２】
一方、ユーザは、視点スイッチＢＬ６の操作によりＡまたはＢ視点のいずれかを選択する（Ａ，Ｂボタン１８ｂ，１８ｃのクリックに相当）。表示制御部ＢＬ７は、描画バッファＢＬ５に記憶されている視点Ａ，Ｂに関する２ペーン分の描画データのうちで、視点スイッチＢＬ６によって選択されている視点Ａまたは視点Ｂに関する１ペーン分の描画データを取出して表示バッファＢＬ８（ＲＡＭ１３内の表示バッファエリアに相当）に書き込む。表示器１８は、表示バッファＢＬ８に記憶される描画データに従った画像を表示する。これら再生バッファＢＬ３への動画像データの書き込み、描画バッファＢＬ５および表示バッファＢＬ８への描画データへの書き込みは順次行われるので、表示器１８には動画像が時間経過に従って表示される。
【００２３】
そして、この動画像の表示状態において、視点スイッチＢＬ６により視点切換えが指示されると、表示バッファＢＬ８に書き込まれる描画データが視点ＡおよびＢの描画データ間で切換えられるので、表示器１８に表示される動画像が切換えられる。
【００２４】
上記のように動作する端末装置１０においては、複数の異なる視点から見た複数種類の動画像データの表示切換えが指示されると、描画バッファＢＬ５（ＲＡＭ１３内の描画バッファエリア）から表示バッファＢＬ８（ＲＡＭ１３内の表示バッファエリア）に書き込まれる描画データが変更される。そして、描画バッファＢＬ５に書き込まれている描画データは視点Ａおよび視点Ｂから見た動画像の同期した動画像データであり、前記表示バッファＢＬ８への描画データの書き込み変更により、表示器１８に表示される動画像が切換えられる。したがって、上記端末装置１０によれば、２つの動画像の視点切り換えが同期して、すなわち連続性を保ったまま簡単に行われる。その結果、例えば、動画像が楽器の模範演奏であれば、ユーザは演奏者の全体および演奏局部の画像を任意に切換えて観察できる。
【００２５】
さらに、本発明の実施にあたっては、上記実施形態に限定されるものではなく、本発明の目的を逸脱しない限りにおいて種々の変更が可能である。
【００２６】
例えば、上記実施形態においては、配信サーバ３０から配信される動画像データのフォーマットに関しては詳しい説明を省略したが、端末装置１０にて解読できるものであれば、フォーマットの種類は問わない。
【００２７】
また、上記実施形態では２種類の動画像データを配信サーバ３０から端末装置１０に配信し、端末装置１０にて一方の動画像データを選択的に切換えて表示するようにした。しかし、これに代えて、３種類以上の動画像データを一つの動画データに結合して配信サーバ３０から端末装置１０に配信し、端末装置１０にて配信された３種類以上の動画像データのうちのいずれか１種類の動画像データに対応した動画を選択的に切換えて表示するようにしてもよい。さらに、表示器１７に、１種類の動画ではなく、複数種類の動画データに基づく複数の動画を同時に表示するようにしてもよい。この場合、表示器１７に表示される複数の動画の全てを同時に切換えてもよいし、表示されている複数の動画のうちのいずれか一つまたは複数の動画を切換えてもよい。
【００２８】
また、上記実施形態では、動画像データを予め配信サーバ３０のデータベース３１内に蓄えておき、データベース３１内に蓄えれた動画像データを端末装置１０に配信するようにした。しかし、これに代えまたは加えて、リアルタイムで撮影した複数の異なる視点から見た動画像を表す複数の動画像データを１つの動画像データに結合して、配信サーバ３０から端末装置１０に配信するようにしてもよい。
【図面の簡単な説明】
【００２９】
【図１】本発明に係る端末装置を含むネットワークシステムの全体概略図である。
【図２】(Ａ)(Ｂ)は、図１の端末装置のＲＡＭ内に設けた描画バッファエリアおよび表示バッファエリアを説明するための説明図である。
【図３】図１の端末装置のＣＰＵにより実行される再生プログラムのフローチャートである。
【図４】図１の表示器の表示画面を表す図である。
【図５】図１の端末装置の機能ブロック図である。
【符号の説明】
【００３０】
１０…端末装置、２０…通信ネットワーク、３０…配信サーバ、１１…ＣＰＵ，１３…ＲＡＭ、１４…外部記憶装置、１６…通信インターフェース回路、１８…表示器、１９…入力装置。
【図１】
2007028242.tif 000003
【図２】
2007028242.tif 000004
【図３】
2007028242.tif 000005
【図４】
2007028242.tif 000006
【図５】
2007028242.tif 000007